(57)【要約】【課題】電池の消耗を気にせず、利用者を退屈させない電話装置を提供する。【解決手段】ＣＰＵ３は、電流検出器１６によって充電池１７の充電開始が検出された場合スクリーンセーバーを実行して時間変化するパターンをＬＣＤに表示させ、電流検出器１６によって充電池１７の満充電が検出された場合スクリーンセーバーの実行を停止する。これにより、スクリーンセーバーの実行による充電池１７の消耗を少なくすことでき、且つ充電中に利用者が退屈しなくてすむ。【選択図】　　　図２
2004015372.tif 000002
【特許請求の範囲】
【請求項１】
表示手段と、
少なくとも画像情報を記憶する記憶手段と、
内蔵充電池の充電開始を検出する充電開始検出手段と、
該充電開始検出手段によって充電開始が検出されると前記記憶手段から画像情報を選択して前記表示手段に表示させる制御手段と、
を備えることを特徴とする電話装置。
【請求項２】
表示手段と、
少なくとも画像情報を記憶する記憶手段と、
内蔵充電池の充電開始を検出する充電開始検出手段と、
内蔵充電池の満充電を検出する満充電検出手段と、
前記充電開始検出手段によって充電開始が検出されると前記記憶手段から画像情報を選択して前記表示手段に表示させたのち、前記満充電検出手段によって満充電が検出されると画像の表示を停止させる制御手段と、
を備えることを特徴とする電話装置。
【請求項３】
表示手段と、
少なくとも画像情報を記憶する記憶手段と、
外部より電力を供給する外部電源と、
該外部電源が接続されているか否かを検出する外部電源検出手段と、
該外部電源検出手段によって外部電源の接続が検出されると前記記憶手段から画像情報を選択して前記表示手段に表示させる制御手段と、
を備えることを特徴とする電話装置。
【発明の詳細な説明】
【０００１】
【発明の属する技術分野】
本発明は、表示手段を備える電話装置に関する。
【０００２】
【従来の技術】
利用者を退屈させないように一定時間操作されないことを検出するとスクリーンセーバーを実行して時間変化するパターンを表示部に表示する（例えば「飛行機」が動く様子を示す７画面分から成る一連の図柄情報を１０秒毎に順次読み出し１画面ずつ表示する）電話装置が特開平１１−１４６０４４号公報に開示されている。
【０００３】
しかし、近年の電話装置は通話のみならず電子メールのやり取りやホームページの閲覧が可能となり、表示部のカラー化、大型化が進んでいる。その為、スクリーンセーバーを表示すると表示部での消費電力が多くなり内蔵電池の消耗が早くなってしまう。
【０００４】
そこで、表示部の消費電力を削減するために、一定時間操作されないと着信に必要な情報（例えば受信感度や電池残量等）のみを表示部の一部に表示させるか、表示部の見た目を優先してスクリーンセーバーを表示させるかをユーザーが選択可能な電話装置が市販されている。
【０００５】
【発明が解決しようとする課題】
しかしながら、着信に必要な情報のみを表示するように設定していると、外部より電力が供給されていたり、内蔵電池を充電している場合などは、内蔵電池の消耗を考慮する必要が無いにも係わらず、設定を変更しなければスクリーンセーバーは表示されないため、その都度設定の切替えが必要であり操作が煩わしいという問題があった。
【０００６】
本発明は、上記の問題点に鑑み、電池の消耗を考慮する必要がない場合にはスクリーンセーバーを表示することで利用者を退屈させない電話装置を提供することを目的とする。
【０００７】
【課題を解決するための手段】
上記目的を達成するために、本発明に係る電話装置においては、表示手段と、少なくとも画像情報を記憶する記憶手段と、内蔵充電池の充電開始を検出する充電開始検出手段と、該充電開始検出手段によって充電開始が検出されると前記記憶手段から画像情報を選択して前記表示手段に表示させる制御手段と、を備える構成とする。
【０００８】
また上記目的を達成するために、本発明に係る電話装置においては、表示手段と、少なくとも画像情報を記憶する記憶手段と、内蔵充電池の充電開始を検出する充電開始検出手段と、内蔵充電池の満充電を検出する満充電検出手段と、前記充電開始検出手段によって充電開始が検出されると前記記憶手段から画像情報を選択して前記表示手段に表示させたのち、前記満充電検出手段によって満充電が検出されると画像の表示を停止させる制御手段と、を備える構成としてもよい。
【０００９】
また、上記目的を達成するために、本発明に係る電話装置においては、表示手段と、少なくとも画像情報を記憶する記憶手段と、外部より電力を供給する外部電源と、該外部電源が接続されているか否かを検出する外部電源検出手段と、該外部電源検出手段によって外部電源の接続が検出されると前記記憶手段から画像情報を選択して前記表示手段に表示させる制御手段と、を備える構成としてもよい。
【００１０】
【発明の実施の形態】
以下に本発明の一実施形態について図面を参照して説明する。本発明に係る携帯電話装置の回路ブロック図を図１に示す。
【００１１】
アンテナ１が無線部２を介してＣＰＵ（Ｃｅｎｔｒａｌ　Ｐｒｏｃｅｓｓｏｒ　Ｕｎｉｔ）３に接続される。また、キー入力部４、ドライバ回路５、ドライバ回路７、ドライバ回路９、不揮発性メモリ１１、ＲＯＭ（Ｒｅａｄ　Ｏｎｌｙ　Ｍｅｍｏｒｙ）１２、及びＲＡＭ（ＲａｎｄｏｍＡｃｃｅｓｓ　Ｍｅｍｏｒｙ）１３がＣＰＵ３に接続される。さらに、ドライバ回路５にスピーカ６が接続され、ドライバ回路７にＬＣＤ８が接続され、ドライバ回路９にＬＥＤ（Ｌｉｇｈｔ　Ｅｍｉｔｔｉｎｇ　Ｄｉｏｄｅ）１０が接続される。
【００１２】
ＣＰＵ３は、ＲＯＭ１２に格納されているプログラムに従い、制御データを格納するＲＡＭ１３を用いて携帯電話装置全体を複合的に制御する。以下、本発明の特徴部分に関連する機能についてのみ説明を行う。
【００１３】
不揮発性メモリ１１は、時間変化する表示パターンのデータを複数予め記憶している。利用者は、ＬＣＤ８の表示を参照してキー入力部４を操作することによって複数の時間変化する表示パターンのデータの中からスクリーンセーバーを実行する際に用いるデータを一つ選定することができる。
【００１４】
無線部２はアンテナ１を介して無線信号を間欠的に受信し、該無線信号を復調して受信信号を生成し、該受信信号をＣＰＵ３に送出する。また、待ち受け状態において無線部２が受信を行っていないときは、ＣＰＵ３はスリープ状態になる。無線部２が間欠的に受信を行うこと及び待ち受け状態において無線部２が受信を行っていないときにＣＰＵ３がスリープ状態になることによって省電力化を図ることができる。
【００１５】
また、ＣＰＵ３は、ＬＣＤ８にアンテナ受信状況、充電池の残量、時刻等を表示させ、間欠受信に伴って表示内容を更新する。なお、一定期間キー入力部４（図１参照）が利用者によって操作されない場合、ＣＰＵ３はＬＣＤ８のバックライトを消灯して省電力化を図っている。
【００１６】
ＣＰＵ３は、無線部２が生成する受信信号に基づいて着信があるかを判定し、着信があれば、ドライバ回路５を介してスピーカ６に着信音を出力させる。また、ＣＰＵ３は充電中にドライバ回路９を介してＬＥＤ１０を点灯させる。
【００１７】
次に、図１に示した携帯電話装置の電源系統の構成を図２に示す。なお、図２において図１と同一の部分には同一の符号を付す。
【００１８】
入力端子１４は、ダイオードＤ１のアノードに接続される。ダイオードＤ１のカソードはレギュレータ１８の入力側及びレギュレータ１９の入力側に接続される。レギュレータ１８の出力側は、無線部２、ドライバ回路５、ドライバ回路７、ＬＣＤ８、及びドライバ回路９を備える回路２０（以下、「ＬＣＤ等２０」という）に接続され、レギュレータ１９の出力側はＣＰＵ３に接続される。
【００１９】
また入力端子１４は、ダイオードＤ２のアノードにも接続される。ダイオードＤ２のカソードは充電回路１５の入力側に接続される。充電回路１５の出力側は電流検出器１６を介してダイオードＤ３のアノードに接続される。ダイオードＤ３のカソードは、充電池１７の正極側及びダイオードＤ４のアノードに接続される。充電池１７の負極性側は接地され、ダイオードＤ４のカソードはレギュレータ１８の入力側及びレギュレータ１９の入力側に接続される。
【００２０】
さらに入力端子１４は、抵抗Ｒ１の一端にも接続される。抵抗Ｒ１の他端は抵抗Ｒ２を介して接地される。
【００２１】
そして、ＣＰＵ３が、抵抗Ｒ１と抵抗Ｒ２との接続ノード、電流検出器１６、及びＬＣＤ等２０に接続される。
【００２２】
このような構成の電源系統回路の動作について説明する。まず、所定の直流電圧を出力するＡＣアダプタ（図示せず）が入力端子１４に接続されておらず且つ携帯電話装置の電源がオン状態である場合の動作について説明する。
【００２３】
充電池１７の出力電圧が、ダイオードＤ４を介してレギュレータ１８及び１９に供給される。そして、レギュレータ１８の出力電圧がＬＣＤ等２０に供給され、レギュレータ１９の出力電圧がＣＰＵ３に供給される。これにより、ＣＰＵ３及びＬＣＤ等２０が動作可能となる。なお、ＡＣアダプタ（図示せず）が入力端子１４に接続されていないときは、ＣＰＵ３は、詳しくは後述するが、抵抗Ｒ１及び抵抗Ｒ２から成る電圧検出回路から出力される信号に基づいて入力端子１４とＡＣアダプタ（図示せず）との接続がなされていないことを認識し、スクリーンセーバーは実行しない。
【００２４】
なお、このとき、ＣＰＵ３に一定期間キー入力部４（図１参照）が操作されない場合にスクリーンセーバーを実行するように設定できる機能を付加しておけば、従来技術と同様な動作も可能である。
【００２５】
続いて、所定の直流電圧を出力するＡＣアダプタ（図示せず）が入力端子１４に接続され且つ携帯電話装置の電源がオン状態である場合の動作について説明する。
【００２６】
ＡＣアダプタ（図示せず）から出力される所定の直流電圧が、入力端子１４及びダイオードＤ１を介してレギュレータ１８及び１９に供給される。そして、レギュレータ１８の出力電圧がＬＣＤ等２０に供給され、レギュレータ１９の出力電圧がＣＰＵ３に供給される。これにより、ＣＰＵ３及びＬＣＤ等２０が動作可能となる。ＬＣＤ等２０内の無線部２（図１参照）は間欠受信を行う。
【００２７】
また、ＡＣアダプタ（図示せず）から出力される所定の直流電圧が、入力端子１４及びダイオードＤ２を介して充電回路１５に供給される。充電回路１５は電流検出器１６及びダイオードＤ３を介して充電池１７を充電する。なお、入力端子１４にＡＣアダプタ（図示せず）が接続されているときは、ダイオードＤ４のカソード電位がダイオードＤ４のアノード電位より高いため、充電池１７は放電を行わない。
【００２８】
電流検出器１６は、充電回路１５から充電池１７に流れる電流を検出するので、充電開始と満充電を検出することができる。なお、充電開始は充電回路１５から充電池１７に電流が流れ始めた時点であり、満充電は充電回路１５から充電池１７に電流が流れ始めたのち当該電流が所定値まで小さくなった時点である。電流検出器１６の検出結果がＣＰＵ３に送出されるので、ＣＰＵ３は充電開始と満充電を認識することができる。電流検出器１６の一実施態様としてはシャント抵抗を用いて当該シャント抵抗の両端電位差によって電流検出を行う構成が挙げられる。
【００２９】
抵抗Ｒ１及び抵抗Ｒ２から成る電圧検出回路は、入力端子１４に印加される電圧を検出するので、入力端子１４にＡＣアダプタ（図示せず）が接続されているか否かを検出することができる。抵抗Ｒ１及び抵抗Ｒ２から成る電圧検出回路によって検出される電圧がＡＣアダプタ（図示せず）から出力される所定の直流電圧の値と一致している場合は、入力端子１４にＡＣアダプタ（図示せず）が接続されている。一方、抵抗Ｒ１及び抵抗Ｒ２から成る電圧検出回路によって検出される電圧がＡＣアダプタから出力される所定の直流電圧の値と一致していない場合は、入力端子１４にＡＣアダプタ（図示せず）が接続されていない。
【００３０】
ＣＰＵ３は、電流検出器１６から出力される信号に基づいて充電開始を認識すると、スクリーンセーバーを実行する。具体的には、ＣＰＵ３は、不揮発性メモリ１１（図１参照）から予め選定された一つの時間変化する表示パターンを読み出し、その表示パターンをＬＣＤ８（図１参照）に表示させる。その後ＣＰＵ３は、電流検出器１６から出力される信号に基づいて満充電を認識すると、スクリーンセーバーの実行を停止する。具体的には、ＣＰＵ３は、不揮発性メモリ１１（図１参照）から読み出した表示パターンの代わりにアンテナ受信状況、充電池の残量、時刻等をＬＣＤ８（図１参照）に表示させる。これにより、充電中スクリーンセーバーを実行して利用者を退屈させない携帯電話装置が実現できる。また、ダイオードＤ１を介して供給されるＡＣアダプタ（図示せず）の出力電力を用いてＬＣＤ８（図１参照）を駆動するので、スクリーンセーバーの実行による電池の消耗も少ない。
【００３１】
次に、所定の直流電圧を出力するＡＣアダプタ（図示せず）が入力端子１４に接続され且つ携帯電話装置の電源がオフ状態である場合の動作について、上述した所定の直流電圧を出力するＡＣアダプタ（図示せず）が入力端子１４に接続され且つ携帯電話装置の電源がオン状態である場合と異なる点を説明する。
【００３２】
携帯電話装置の電源がオフ状態であるので、ＬＣＤ等２０内の無線部２（図１参照）は間欠受信を行わない。したがって、ＣＰＵ３は受信に関する制御動作を行わず、スクリーンセーバーの実行に関する動作のみを行う。スクリーンセーバーの実行に関する動作は、ＣＰＵ３は受信に関する制御動作に比べて処理速度が要求されないので、携帯電話装置の電源がオン状態のときよりもＣＰＵ３の処理速度を遅くしてもよい。これにより、省電力化を図ることができる。
【００３３】
なお、上述した実施形態では電流検出器１６の検出結果に基づいてＣＰＵ３がスクリーンセーバーを実行したが、抵抗Ｒ１及び抵抗Ｒ２から成る電圧検出回路の検出結果に基づいてＣＰＵ３がスクリーンセーバーを実行するようにしてもよい。この場合、ＣＰＵ３は、抵抗Ｒ１及び抵抗Ｒ２から成る電圧検回路から出力される信号に基づいて入力端子１４とＡＣアダプタ（図示せず）とが接続されたことを認識して、スクリーンセーバーを実行する。具体的には、ＣＰＵ３は、不揮発性メモリ１１（図１参照）から予め選定された一つの時間変化する表示パターンを読み出し、その表示パターンをＬＣＤ８（図１参照）に表示させる。
【００３４】
充電池１７が満充電以外の場合は、入力端子１４とＡＣアダプタ（図示せず）が接続されると充電が開始されるので、充電開始とともにスクリーンセーバーを実行することになる。通常充電池１７が満充電のときにＡＣアダプタ（図示せず）が入力端子１４に接続されることはないので、抵抗Ｒ１及び抵抗Ｒ２から成る電圧検出回路を充電開始手段として用いることができる。
【００３５】
しかしながら、利用者が誤って充電池１７が満充電のときにＡＣアダプタ（図示せず）を入力端子１４に接続することも考えられる。充電池１７が満充電であった場合は、入力端子１４とＡＣアダプタ（図示せず）が接続されても充電が開始されないが、このような場合でもＣＰＵ３はスクリーンセーバーを実行する。このとき、ＣＰＵ３及びＬＣＤ等２０はＡＣアダプタ（図示せず）の出力電力によって動作しているので、スクリーンセーバーの実行による電池の消耗は少ない。
【００３６】
また、満充電のときにスクリーンセーバーの実行を停止するのではなく、入力端子１４とＡＣアダプタ（図示せず）との接続が解除されたときにスクリーンセーバーの実行を停止するようにしてもよい。この場合、ＣＰＵ３は、抵抗Ｒ１及び抵抗Ｒ２から成る電圧検出回路から出力される信号に基づいて入力端子１４とＡＣアダプタ（図示せず）との接続が解除されたことを認識すると、スクリーンセーバーの実行を停止する。具体的には、ＣＰＵ３は、不揮発性メモリ１１（図１参照）から読み出した表示パターンの代わりにアンテナ受信状況、充電池の残量、時刻等をＬＣＤ８（図示せず）に表示させる。このようにしても、満充電から入力端子１４とＡＣアダプタ（図示せず）との接続が解除されるまでの間、ＣＰＵ３及びＬＣＤ等２０はＡＣアダプタ（図示せず）の出力電力によって動作しているので、スクリーンセーバーの実行による電池の消耗は少ない。
【００３７】
また、利用者が充電中に表示画面を見ない場合等に対応できるように、利用者がＬＣＤ８（図１参照）を参照してキー入力部４（図１参照）を操作することによって、充電中であってもスクリーンセーバーを実行しないように設定できる機能を付加してもよい。
【００３８】
そして、本発明に係る携帯電話装置が折り畳み構造の携帯電話装置である場合は、当該携帯電話装置に折り畳まれた状態であることを検出する手段を設け、折り畳まれた状態で充電された場合は折り畳まれた状態において外部から視認できないＬＣＤに対してはスクリーンセーバーを実行しないようにしてもよい。これにより、外部から視認できないＬＣＤが無駄にスクリーンセーバー表示をすることがなくなり、無駄な電力消費をなくすことができる。
【００３９】
なお、本実施例では充電が開始されると、ＣＰＵ３は不揮発性メモリ１１（図１参照）から予め選定された一つの時間変化する表示パターンを読み出し、その表示パターンをＬＣＤ８（図１参照）に表示させるようにしたが、不揮発性メモリ１１（図１参照）に例えば待ち受け時計等のプログラムを記憶させておき、充電が開始されるとＣＰＵ３はこのプログラムを読み出して実行し、ＬＣＤ８（図１参照）に表示するようにしてもよい。
【００４０】
【発明の効果】
本発明によると、電話装置が、表示手段と、少なくとも画像情報を記憶する記憶手段と、内蔵充電池の充電開始を検出する充電開始検出手段と、該充電開始検出手段によって充電開始が検出されると前記記憶手段から画像情報を選択して前記表示手段に表示させる制御手段と、を備えるので、充電中にスクリーンセーバーを実行することができる。充電中は前記表示手段及び前記制御手段が外部電源から供給される電力によって動作するので、スクリーンセーバーを実行しても前記内蔵充電池の消耗が少ない。また、充電中にスクリーンセーバーが実行されるので、利用者が退屈しなくてすむ。
【００４１】
また、本発明によると、表示手段と、少なくとも画像情報を記憶する記憶手段と、内蔵充電池の充電開始を検出する充電開始検出手段と、内蔵充電池の満充電を検出する満充電検出手段と、前記充電開始検出手段によって充電開始が検出されると前記記憶手段から画像情報を選択して前記表示手段に表示させたのち、前記満充電検出手段によって満充電が検出されると画像の表示を停止させる制御手段と、を備えるので、充電中のみにスクリーンセーバーを実行するので、利用者は充電中であることがすぐにわかると共に、退屈しなくてすむ。
【００４２】
また、本発明によると、表示手段と、少なくとも画像情報を記憶する記憶手段と、外部より電力を供給する外部電源と、該外部電源が接続されているか否かを検出する外部電源検出手段と、該外部電源検出手段によって外部電源の接続が検出されると前記記憶手段から画像情報を選択して前記表示手段に表示させる制御手段と、を備えるので、充電中でなくとも外部より電源が供給されていればスクリーンセーバーを実行することができる。前記表示手段及び前記制御手段は外部電源から供給される電力によって動作するので、スクリーンセーバーを実行しても前記内蔵充電池の消耗が少ない。また、外部電源から供給された電力でスクリーンセーバーが実行されるので、利用者が退屈しなくてすむ。
【図面の簡単な説明】
【図１】本発明に係る携帯電話装置の回路ブロック図である。
【図２】図１に示す携帯電話装置の電源系統の構成を示す図である。
【符号の説明】
３　　ＣＰＵ
８　　ＬＣＤ
１１　　不揮発性メモリ
１２　　ＲＯＭ
１３　　ＲＡＭ
１４　　入力端子
１５　　充電回路
１６　　電流検出器
１７　　充電池
１８、１９　　レギュレータ
２０　　ＬＣＤ等
Ｄ１〜Ｄ４　　ダイオード
Ｒ１、Ｒ２　　抵抗
【図１】
2004015372.tif 000003
【図２】
2004015372.tif 000004